(57)【要約】【課題】人体型を備えてなるシャツプレス仕上げ機において、シャツの側部の湾曲ライン通りに側部全体を側方に伸張でき、又低コストで且つ迅速にシャツの側部を伸張できるようにする。【解決手段】シャツ１を装着させる人体型２の両側部に設け、人体型２に着せたシャツ１の側部を人体型２の側方に伸張させるためのシャツプレス仕上げ機の胴張り機構であって、人体型２の側方に凹み面を向けた弓形部材３を、縦長状に且つ人体型２の側方に張出し自在に設ける。この弓形部材３の上下端に、シャツ１の側部内面にあてがう可撓性の線条部材４を弦状に張架する。【選択図】      図１
2004305311.tif 000002
【特許請求の範囲】
【請求項１】
シャツを装着させる人体型の両側部に設けられ、上記の人体型に着せられたシャツの側部を人体型の側方に伸張させるためのシャツプレス仕上げ機の胴張り機構であって、人体型の側方に凹み面を向けた弓形部材が縦長状に且つ人体型の側方に張出し自在に設けられ、この弓形部材の上下端に、シャツの側部内面にあてがわれる可撓性の線条部材が弦状に張架されていることを特徴とするシャツプレス仕上げ機の胴張り機構。
【請求項２】
請求項１記載のシャツプレス仕上げ機の胴張り機構であって、弓形部材が、その略中央位置の枢着部を中心に人体型の左右方向に傾倒自在に形成されていることを特徴とするシャツプレス仕上げ機の胴張り機構。
【請求項３】
請求項１又は２記載のシャツプレス仕上げ機の胴張り機構であって、線条部材がコイルスプリングであることを特徴とするシャツプレス仕上げ機の胴張り機構。
【発明の詳細な説明】
【０００１】
【発明の属する技術分野】
本発明は、シャツプレス仕上げ機の胴張り機構に関し、更に詳しくはシャツを人体型に着せた状態で前後一対のプレス鏝でプレス仕上げするシャツプレス仕上げ機において、シャツの側部を伸張させてシャツの胴部を綺麗にプレス仕上げできるよう形成したシャツプレス仕上げ機の胴張り機構に関するものである。
【０００２】
【従来の技術】
従来この種の装置としては、例えば人体型の両側部にエアーで膨張する空気袋を縦長状に設け、この空気袋を側方に膨出させてシャツの胴部を緊張させて前後一対のプレス鏝（熱板）でシャツの前身頃、後身頃をプレス仕上げできるよう形成しているものがある（例えば特許文献１参照）。
【０００３】
【特許文献１】
特開平４ー１３８２００号公報（図２等）
【０００４】
【発明が解決しようとする課題】
ところでワイシャツ等のシャツは、通常、脇からウエストにかけて絞られ、ウエストから裾になるに従って末広がりに縫製されることが多い。従ってシャツは、側部のラインが湾曲状に形作られ、しかもサイズやデザインによってその湾曲ラインは異なるものである。
それ故、人体型にシャツを着せてプレス仕上げするこの種の仕上げ機においては、シャツのサイズやデザインが異なっても、湾曲状のライン通りに側部の全体を側方に伸張させてシャツの胴部を緊張させ、この状態で前後一対のプレス鏝でプレス仕上げできるよう形成されているのが望ましい。
【０００５】
而してこの場合、この種の胴張り機構は、構造が複雑になると、部品コストや製造コストが高くなり、又側部の伸張に時間がかかると、シャツの処理枚数が少なくなり、処理能力の低下を招くことになる。従ってこの種の機構は、安価に且つ迅速に、シャツの側部を湾曲ライン通りに伸張できるよう形成されているのが望ましい。
【０００６】
本発明は、このような従来の問題に鑑み、提案されたものである。
従って本発明の技術的課題は、人体型を備えてなるシャツプレス仕上げ機において、シャツの側部の湾曲ライン通りに側部全体を側方に伸張でき、又低コストで且つ迅速にシャツの側部を伸張できるよう形成したシャツプレス仕上げ機の胴張り機構を提供することにある。
【０００７】
【課題を解決するための手段】
本発明は、上記の課題を解決するために、次のような技術的手段を採る。
【０００８】
即ち本発明は、図１等に示されるように、シャツ１を装着させる人体型２の両側部に設けられ、上記の人体型２に着せられたシャツ１の側部を人体型２の側方に伸張させるためのシャツプレス仕上げ機の胴張り機構であって、人体型２の側方に凹み面を向けた弓形部材３が縦長状に且つ人体型２の側方に張出し自在に設けられ、この弓形部材３の上下端に、シャツ１の側部内面にあてがわれる可撓性の線条部材４が弦状に張架されていることを特徴とする（請求項１）。
【０００９】
ここで、弓形部材３とは、上下端に線条部材４を架け渡して張ることができる部材を意味する。従って弓形部材３の形状は、弧状には限定されず、その他例えば「く」の字や「コ」の字を縦長に延ばした形でも良い。又本発明の場合、弓形部材３を張出させる仕組みは、例えば駆動源としてエアシリンダーやモータ等を備え、この駆動源の動力をリンク機構や歯車伝動機構を介して弓形部材３に伝えるよう構成することで実現される。この場合、弓形部材３は、枢着軸８を中心に回動しながら張出させるのでも、或いは側方に床面と平行状態で移動するのでも良い。
【００１０】
又本発明の場合、弓形部材３は、その略中央位置の枢着部９を中心に人体型２の左右方向に傾倒自在に形成されているのでも良い（請求項２）。
【００１１】
なぜならこれによると、弓形部材３が傾倒するため、サイズや湾曲形状の異なるシャツ１に、線条部材４を一層フィットさせ易くなり、シャツ１の側部を伸張し易くなるからである。
【００１２】
又本発明は、線条部材４がコイルスプリングであるのが好ましい（請求項３）。
【００１３】
本発明の場合、線条部材４は可撓性の材質であれば金属材、樹脂材等、その材質は任意である。但しこの本発明のようにコイルスプリングによる場合は、線条部材４の入手が容易でしかも比較的安価であるため、本発明機構の低廉化が可能になり、又金属材であることからスチームやプレス鏝から発散する熱の影響を受け難く、従って耐久性が良くなり、又周面が丸いためシャツ１に痕を付けない、という利点がある。
【００１４】
【発明の実施の形態】
以下、本発明の好適な一実施形態を添付図面に従って説明する。
【００１５】
本発明は、図１等に示されるように、シャツ１が装着される人体型２の両側部に設けられ、人体型２に着せられたシャツ１の側部を人体型２の側方に伸張させるシャツプレス仕上げ機の胴張り機構である。３は、人体型２の側方に凹み面を向けた弧状の弓形部材である。又４は、シャツ１の側部内面にあてがわれる可撓性の線条部材である。
【００１６】
上記の弓形部材３は、人体型２の両側部に縦長状に設けられると共に、この実施形態では駆動装置５としてのエアシリンダーによって人体型２の側方に張出し自在に設けられている。駆動装置５としてのエアシリンダーは、ロッド５ａを人体型２の内方に向けて人体型２の下方の左右位置に夫々横向きに設けられ、ロッド５ａの先端がリンク部材６の下端に枢着されている。
【００１７】
リンク部材６は平行一対状に形成され、その上端に、弓形部材３との連結プレート７が取り付けられている。８は、リンク部材６の枢着軸である。連結プレート７の外側端部と、弓形部材３の略中央部とは、枢着部９としての枢着ピンで連結されている。この枢着ピンは、軸が人体型２の前後方向に沿って水平状に配置されている。
【００１８】
又この実施形態の本発明では、連結プレート７の内側の上部に起立片７ａが立ち上げられ、この起立片７ａの上端と、弓形部材３の対応する背側の外縁位置とが、引張りバネ１０で連結されている。弓形部材３は、これにより枢着部９を中心に人体型２の左右方向に回動して傾倒する。そしてこの実施形態の場合は、引張りバネ１０により弓形部材３が、例えば引張りバネ１０の牽引力に抗して人体型２の側方に傾倒したときは退避時に引張りバネ１０の復元力で復帰し易くなる。なお弓形部材３は、人体型２と共に、カバー２１で覆われている。
【００１９】
又上記の線条部材４は、この実施形態ではコイルスプリングで構成されている。コイルスプリングは、線材の断面が円形に形成されている、丸棒状（円筒形）の引張りコイルバネである。この線条部材４としてのコイルスプリングは、両端のフックが弓形部材３の上下端に引っ掛けられ、弓形部材３の上下端に弦状に張られている。
【００２０】
次にこの実施形態に係る本発明の作用を説明する。
【００２１】
先ずシャツ１が人体型２に装着されている状態で、駆動装置５としてのエアシリンダーが駆動してロッド５ａが延伸すると、リンク部材６の下端が人体型２の内方に押し込まれるため、枢着軸８を中心にリンク部材６が回動し、その上端が人体型２の側方に回動する。この結果、リンク部材６に連結されている弓形部材３が、人体型２の側方に張出される。
【００２２】
すると弓形部材３の線条部材４が、シャツ１の側部内面に押し当てられ、線条部材４が内面の湾曲ラインに沿って撓みながら、シャツ１の側部を人体型２の側方に伸張させる。これによりシャツ１は、胴部が緊張され、この状態で前後一対のプレス鏝がシャツ１の胴部をプレス仕上げする。
【００２３】
そしてシャツ１のプレス処理が終了すると、駆動装置５としてのエアシリンダーのロッド５ａが収縮する。すると枢着軸８を中心にリンク部材６が回動し、その上端が人体型２の内方に回動する。これにより弓形部材３が退避し、人体型２の内部に収納される。
【００２４】
以上の処において、本発明の場合、上記の駆動装置５としてのエアシリンダーは、左右の弓形部材３に個別に設けられる場合には限定されず、例えば人体型２の下方の中央位置に一台設けられ、この一台で左右の弓形部材３を同時に進退動作させるよう構成されるのでも良い。又駆動装置５は、エアシリンダーに代え、例えばモータが使用されるのでも良い。
又本発明の場合、線条部材４は、コイルスプリングに代え、可撓性の例えば金属棒や耐熱樹脂の丸棒で形成されるのでも良い。
【００２５】
【発明の効果】
以上説明したように本発明は、シャツを装着させる人体型の両側部に設け、上記の人体型に着せるシャツの側部を人体型の側方に伸張させるためのシャツプレス仕上げ機の胴張り機構であって、人体型の側方に凹み面を向けた弓形部材を、縦長状に且つ人体型の側方に張出し自在に設け、この弓形部材の上下端に、シャツの側部内面にあてがう可撓性の線条部材を弦状に張架しているものである。
従って本発明の場合は、線条部材によってシャツの側部の湾曲ライン通りに側部全体を側方に伸張でき、又構造が比較的簡単であるから、これによれば部品コスト、製造コストを抑えることができ、シャツプレス仕上げ機自体の低廉化、低コスト化を図ることができる。
又本発明は、従来のように空気袋を膨張させるものではないから、これによればシャツの側部を迅速に伸張でき、シャツプレス仕上げ機の処理能力を高めることができる。
【図面の簡単な説明】
【図１】本発明機構の好適な一実施形態を示す一部を切欠した要部正面図である。
【図２】人体型のカバーを外した状態の要部正面図である。
【図３】同上機構の要部拡大正面図である。
【符号の説明】
１    シャツ
２    人体型
３    弓形部材
４    線条部材
５    駆動装置
６    リンク部材
７    連結プレート
８    枢着軸
９    枢着部
１０  引張りバネ
２１  カバー
【図１】
2004305311.tif 000003
【図２】
2004305311.tif 000004
【図３】
2004305311.tif 000005